(57)【要約】【課題】  天井部を二つ折りとして躯体間隙の天井部の荷重を両側に分散させ、回転構造部をこの上側部にコンパクトに収め、狭い天井裏空間でも設置を可能としたエキスパンションジョイントを提供する。【解決手段】  躯体間隙部の天井部１を、平行し互いに長手方向を軸に回転起立する左右天井部１Ａ，１Ｂとし、この上側には左右支持材３、４を間隙巾方向に各固着し、これは互いに上方に回転変位可能なように回転支持腕５で連結するとともに、一方の基端部を一方の躯体側の天井固定材１０に回転自在に枢着し、他方の躯体側の天井固定材１３の対向部位に、間隙巾方向に延びた連結部材６の基端部を回転自在に枢着させ、連結部材は左支持材に間隙巾方向にスライド自在に嵌合させ、右支持材に間隙巾方向にスライド自在かつ間隙奥行方向に分離移動可能なように嵌合させた。【選択図】      図５
2005325612.tif 000002
【特許請求の範囲】
【請求項１】
躯体間隙部を被覆するカバー部を、平行し、かつ互いに間隙長手方向を軸に回転起立する左右カバー部とし、これら左右カバー部裏側には、左右支持材を各固着し、左右支持材は互いに裏方に回転変位可能なように回転支持腕で連結するとともに、一方の基端部を一方の躯体側のカバー固定材に回転自在に枢着し、他方の躯体側のカバー固定材の対向部位には、間隙巾方向に延びた連結部材の基端部を回転自在に枢着させ、連結部材は左右支持材の少なくとも他方の支持材に間隙巾方向にスライド自在に嵌合させた構成を有してなるエキスパンションジョイント。
【請求項２】
躯体間隙部を被覆するカバー部を、平行しかつ互いに間隙長手方向を軸に回転起立する左右カバー部とし、これら左右カバー部裏側には、間隙巾方向に左右支持材を各固着し、左右支持材は互いに裏方に回転変位可能なように回転支持腕で連結するとともに、一方の基端部を一方の躯体側のカバー固定材に回転自在に枢着し、他方の躯体側のカバー固定材の対向部位には、間隙巾方向に延びた連結部材の基端部を回転自在に枢着させ、連結部材は左右支持材の他方の支持材に間隙巾方向にスライド自在に嵌合させるとともに、上記一方の支持材に間隙巾方向にスライド自在かつ間隙奥行方向に分離移動可能なように嵌合させた構成を有してなるエキスパンションジョイント。
【請求項３】
回転支持腕は左右カバー部を平坦に支持した状態で裏方への回転を阻止するストッパー部を有している請求項１に記載のエキスパンションジョイント。
【請求項４】
回転支持腕は、裏方に湾曲した２本一対の杆体を有し、一方の杆体の両端部を一方の支持材の基端部寄り部位と他方の支持材の該一方の支持材寄り部位とに枢着し、他方の杆体の両端部を一方の支持材の先端部寄り部位と他方の支持材の他端部寄り部位とに枢着し、両杆体の中間部を互いに回転自在に枢着し、各杆体は両杆体の枢着部の外側において折曲自在な関節部を形成した構成を有している請求項１〜３のいずれかに記載のエキスパンションジョイント。
【請求項５】
カバー部の支持材の基端部を枢着した枢着部材と、支持材に嵌合する連結部材の基端部を枢着した枢着部材の少なくとも一方は、躯体側のカバー固定材に間隙長手方向にスライド可能に装着した構成を有している請求項１〜４のいずれかに記載のエキスパンションジョイント。
【請求項６】
左右支持材の一方の基端部と連結部材の基端部をそれぞれ回転自在に枢着した部材が装着されたカバー固定材には、立上げ面部を形成し、この立上げ面部にカバー下地支持材を支持するアングル形状の固定部材を正逆選択的に接合固定できるようにしてなる構成を有する請求項１〜５のいずれかに記載のエキスパンションジョイント。
【請求項７】
カバー面方向の接近力を面交差回転方向に変位可能な構造部を付加してなる請求項１〜６のいずれかに記載のエキスパンションジョイント。
【発明の詳細な説明】
【技術分野】
【０００１】
本発明は、建造物の躯体間隙に設置するエキスパンションジョイントに関する。
【背景技術】
【０００２】
隣接躯体の摺動は、躯体間隙の巾方向（Ｘ方向）や長手方向（Ｙ方向）を含む水平方向への摺動、さらには間隙の奥行方向（Ｚ方向）への摺動、それらの複合がある。このような摺動に伴い、隣接躯体に跨って設置される部材は衝突が不可避となるが、これを回避するために、例えば天井エキスパンションジョイントにあっては、間隙部の天井部の一端部を一方の躯体側の天井部に枢軸を介して連結し、先端部を他方の躯体側まで伸ばして水平摺動自在に重合部を形成するとともに、この先端側が他方の天井上側すなわち裏側にずれ上がり変位可能とした構成が広く採用されている。下記特許文献の如くである。
【特許文献１】特開２００３−１７６５９６号公報
【発明の開示】
【発明が解決しようとする課題】
【０００３】
しかしながら、従来の片側支持による固定構造では、躯体間隙の天井部の荷重が一端部に掛かるため、先端側の垂れ下がり現象が生じやすく、狭い間隙に比して広い間隙の施工の場合ほど大きな欠点となった。一方、この構造では、片側支持による片上がり構造のために、天井部が上方に回転でき、これらの支持部材が衝突せずに可動できる広い躯体間隙と天井裏空間が必要であるという問題が出、しかもそのような設計を取り難い建造物が多く、施工可能個所が限定されてしまう問題もあった。
本発明は上記問題点があることを見出し、これらを解消すべくなしたものであり、天井部を二つ折りとして躯体間隙の天井部の荷重を両側に分散させ、回転構造部をこの上側部にコンパクトに収め、狭い天井裏空間でも設置を可能としたエキスパンションジョイントを提供し、併せて壁エキスパンションジョイントなどとしても利用可能なものとして提供せんとするものである。
【課題を解決するための手段】
【０００４】
上記課題を解決するために、本発明は、躯体間隙部を被覆するカバー部（例えば天井部）を、平行し、かつ互いに間隙長手方向を軸に回転起立する左右カバー部とし、これら左右カバー部裏側には、左右支持材を好ましくは間隙巾方向に各固着し、左右支持材は互いに裏方に回転変位可能なように回転支持腕で連結するとともに、一方の基端部を一方の躯体側のカバー固定材に回転自在に枢着し、他方の躯体側のカバー固定材の対向部位には、間隙巾方向に延びた連結部材の基端部を回転自在に枢着させ、連結部材は左右支持材の少なくとも他方の支持材に間隙巾方向にスライド自在に嵌合させ、さらに好ましくは上記一方の支持材に間隙巾方向にスライド自在かつ間隙奥行方向に分離移動可能なように嵌合させた構成を有してエキスパンションジョイントとなしたことを特徴とする。
【０００５】
上記回転支持腕は左右カバー部を平坦に支持した状態で表方への回転を阻止するストッパー部を有して形成するのが好ましく、さらに、裏方に湾曲した２本一対の杆体を有し、一方の杆体の両端部を一方の支持材の基端部寄り部位と他方の支持材の該一方の支持材寄り部位とに枢着し、他方の杆体の両端部を一方の支持材の先端部寄り部位と他方の支持材の他端部寄り部位とに枢着し、両杆体の中間部を互いに回転自在に枢着し、各杆体は両杆体の枢着部の外側において折曲自在な関節部を形成した構成とするのが好ましい。
上記いずれにおいても、カバー部の支持材の基端部を枢着した枢着部材と、支持材に嵌合する連結部材の基端部を枢着した枢着部材の一方、好ましくは両方を、躯体側のカバー固定材に間隙長手方向にスライド可能に装着しておくのがよい。
【０００６】
また、左右支持材の一方の基端部と連結部材の基端部をそれぞれ回転自在に枢着した部材が装着されたカバー固定材には、立上げ面部を形成し、この立上げ面部にカバー下地支持材を支持するアングル形状の固定部材を正逆選択的に接合固定できるようにした構成を有するようにすることができる。
またさらに、カバー面方向の接近力を面交差回転方向に変位可能な構造部を付加した構成とすることができる。
【発明の効果】
【０００７】
上記構成によれば、躯体間隙部を被覆するカバー部（例えば天井部）を回転起立する左右カバー部の二つ折れ構造とするとともに両側支持構造としたので、荷重を両側で支持でき、強固なカバー下地を必要とせず、しかも水平とした場合は垂れ下がりが生じない安定的なカバー部構造を実現する。また、二つ折れ構造の高さ（奥行き）とその範囲内に支持構造が収まるので、躯体間隙とカバー裏のクリアランスを広く取る必要がなく、ほとんどすべての施工現場に適用可能となる。
間隙巾方向の可動は、支持材と連結部材とのスライド、及び支持材の二つ折れ回転とこれに伴う連結部材の裏方への回転によって吸収でき、間隙長手方向の可動は、枢着部材乃至カバー固定材をスライド連結構成としておくことによって吸収でき、これらの複合により、どのような平坦方向の摺動も吸収できる。間隙奥行き方向への可動は連結部材と支持部材の基端部の枢軸回転によって吸収でき、全方向への摺動がこれらの複合により可能となる。
【発明を実施するための最良の形態】
【０００８】
以下、本発明を図面によって説明する。図面は一実施例として本発明を天井エキスパンションジョイントに適用した例を示してある。
図１は本エキスパンションジョイントの分解図、図２、３はその取付け図、図４〜８は作動図、図９、１０は起動構造図、図１１はその別例図、図１２は天井下地の取付け例を示した図である。なお、本発明の構成における左右などの方向は、図示状態において部材を区別するために付けた名称であって、左右などの用語自体が構成を限定するものではない。
【０００９】
１は躯体間隙部を被覆するカバー部としての天井部であり、二分割形で平行し、かつ互いに間隙長手方向を軸に回転起立する左右天井部１Ａ、１Ｂとしてなり、これら左右天井部は、それぞれ長手両縁を天井部上側に設置した長尺状の天井枠材２、２に係止して取付けてある。
右天井部１Ａの上側には、該天井巾と同長の右支持材３を、間隙長手方向の適宜間隔ごとに間隙巾方向に渡し、その両端部付近の底面と右天井部両縁の天井枠材２、２とをそれぞれビスなどで固着してある。左天井部１Ｂの上側には該天井巾と同長の左支持材４を右支持材３の延長線上に渡し、その両端部付近の底面と左天井部両縁の天井枠材２、２とをやはりビスなどで固着してある。ビス固着は溶接などであってもよい。
【００１０】
上記右支持材３は、チャンネル材であり、支持材両側面の基端（右端）寄り部位と先端（左端）寄り部位とに回転支持腕５の支持腕５Ａ、５Ｂの各一端を枢着する枢着孔３ａ，３ｂを形成してあり、左方から連結部材６をスライド自在に嵌入・引抜き可能で、かつ連結部材５が上方に離脱可能な断面上向きコの字形状の連結部材受け部３ｃとして形成し、該受け部３ｃの基端側部分は回転軸部材７を嵌合固定しビスなどで固着できるように、係止上片を有した上向きリップ溝チャンネル形状の回転軸部材受け部３ｄとして形成してある。
左支持材４は、左方から連結部材６をスライド自在に嵌入・挿通可能で、上方には離脱できないように、係止上片４ｃを有した上向きリップ溝チャンネル材として形成してあり、支持材両側面の右端（右支持材３側）寄り部位と左端寄り部位とに回転支持腕５の支持腕５Ａ、５Ｂの各他端を枢着する枢着孔４ａ，４ｂを形成してある。
【００１１】
上記回転支持腕５は、左右対称形一対の支持腕５Ａ、５Ｂを、互いに回転自在に中間部で枢着５ａしてなっている。支持腕５Ａは、右端寄り部位を最も高い湾曲頂部とし、その左方を下り傾斜形とし、両端部を内向き湾曲くの字形状としてなる如き、下向き扁形Ｃ字形状としてあり、支持腕５Ｂを上記下り傾斜部の中間部で枢着５ａし、該枢着部より右側部位からストッパー部５ｂを上方に突設し、さらに外側のくの字形状部の上部を、連結軸を介在させた折曲自在な関節部５ｃとして形成してある。
【００１２】
この回転支持腕５は、支持腕５Aの一端部（右端部）を枢着孔３ａに、他端部を枢着孔４ａに枢着し、支持腕５Bの一端部（右端部）を枢着孔３ｂに、他端部を枢着孔４ｂにそれぞれ枢着して、左右支持材３、４を連結してあり、両支持材を水平に維持した状態において、関節部５ｃ、５ｃが伸び、ストッパー部５ｂ、５ｂが互いに当接し合って、両支持材の接近した端部が垂れ下がり（下方への回転）を阻止するように形成し、両支持材３、４が接近端部を上方に立ち上げつつ起立するにしたがい、両支持腕５Ａ、５Ｂが回動変位し、ストッパー部５ｂ、５ｂが互いに離反し、回転につれて関節部５ｃが折曲するように形成してある。
回転支持腕５は二組をセットとして装着するのが好ましく、左右支持材３、４の両側面（躯体間隙長手方向の側面）の枢着孔にそれぞれ外側から枢着するのがよい。
【００１３】
上記右支持材３の回転軸部材受け部３ｄには回転軸部材７を嵌合し、ビスなどで固着してある。ビス固着は溶接などであってもよい。回転軸部材７は右支持材３の基端から突出するように形成した回転軸部７ａを備え、この回転軸部７ａは横長の長孔７ｂに軸止されて（図１０の如く）おり、かつ軸方向が躯体間隙長手方向となるように形成し、一方の躯体側の天井部に装着された軸受け部材８に軸結合している。軸受け部材８は、一方の躯体側に吊架され躯体間隙沿いに長手方向に配設されて隣接天井９を保持する天井固定材としてのランナー材１０のレール部に、躯体間隙長手方向にスライド可能に装着してある。なお、上記回転軸部７ａと軸受け部材８とはいずれに回転軸を設け、いずれに軸受けを設けてもよいものである。
【００１４】
上記連結部材６は、左支持材４及び右支持材３内に間隙巾方向へスライド自在に嵌合する角筒形乃至リップ溝チャンネル形乃至ハット型チャンネル形などの如き型材で、左支持材の係止上辺４ｃの下側に係止可能に納まりかつ連結部材が左支持材から上方に離脱するのを阻止するための水平リップ６ｂを、筒両側面上部に設け、配置された左支持材４と右支持材３の連結部材受け部３ａとの略々合計長さを有して形成してあり、基端（左端）には回転軸部６ａを突設してある。
この回転軸部６ａは上記回転軸部７ａと対称的に形成してあるもので、この回転軸部６ａは横長の長孔６ｄに軸止され（図９、１０の如く）、かつ軸方向を躯体間隙長手方向に形成し、他方の躯体側の天井部に装着された軸受け部材１１に軸結合しており、軸受け部材１１は、該他方の躯体側に吊架され躯体間隙沿いに長手方向に配設されて隣接天井１２を保持する天井固定材としてのランナー材１３のレール部に、躯体間隙長手方向にスライド可能に装着してある。なお、上記回転軸部６ａと軸受け部材１１とはいずれに回転軸を設け、いずれに軸受けを設けてもよいものである。
【００１５】
上記ランナー材１０、１３は、設置時に左右対称形となる同形材であり、ランナー材１３について説明すると、中間部に軸受け部材１１嵌合用レール部１３ａを形成し、下端部を折曲して化粧天井としての天井１２を係止可能な目地部１３ｂを形成し、上部に垂直立上げ部１３ｃを形成し、この立上げ部の躯体間隙外側面を横多条のギザギザ面からなる係止面１３ｄとして形成してある。
【００１６】
なお、図１１に示すように、連結部材６の先端部（右端部）底面は、先端上り傾斜の傾斜面６ｃとして形成し、右支持材３の連結部材受け部３ｃの基端側（右端側）付近の底面部には対応する上り傾斜面３ｅを形成してあるようにすることもできる。これは隣接躯体が接近摺動した場合に、左右支持材３、４が二つ折れし、かつ連結支持材６が上方に移動回転する動きを促すガイドとして作用する。同作用として、図示していないが、左右支持材３、４の両外側に形成した枢着孔３ａと枢着孔４ｂとを側面の下位置に、両内側に形成した枢着孔３ｂと枢着孔４ａとを側面の上位置に、互いに上下に位置をずらせて形成しておくようにしてもよく、その他、水平接近力を上下回転方向に変位可能な適宜構成を設けることができる。
【００１７】
上記構成によれば、図３の如く、通常設置時は左右天井部１Ａ、１Ｂは水平に維持され、回転支持腕５のストッパー部５ｂ、５ｂの当接により垂れ下がりが生じることはなく、連結部材６は左右支持材３、４内に収まり、天井目地も所望の設計通りに収まることができる。両躯体が間隙巾方向に離れた時には、図４、７の如く、連結部材６が左右支持材３、４に対してスライドして伸長し、天井部１Ａ、１Ｂをそのまま維持する。
間隙巾方向に接近したときには、図５、６、８に示す如く、左右支持材３、４の接近端部を押し上げ、回転支持腕５の回転変位にガイドされて、図６の二つ折り状態となるまで隣接躯体の接近を許容する。この場合、連結部材６は右支持材３から離反するが、左支持材４とは一体的に回転する。回転の起動は、図１０（Ａ）の如く、ランナー材１３の中間高さ位置にある回転軸部６ａと下端の目地部１３ｂとが、連結部材６と天井部１Ａとを同時に押圧し、同図（Ｂ）の如く、回転軸部６ａと長孔６ｄとが互いにずれ合う間に、目地部１３ｂの押圧力によって天井部１Ａの先端部が上方に押し上げられることでなされる。起動は、前記したように図１１或いはその他の構成によっても可能である。
【００１８】
両躯体が間隙長手方向に摺動した時には、両端の軸受け部材８、１１がランナー材１０、１３の各レール部に対してスライドできるので、摺動を吸収することができる。両躯体が間隙奥行き方向に摺動した時には、右支持材３と連結部材６の各回転軸部６ａ、７ａの回転と連結部材６のスライドとによって摺動が吸収できる。
また、回転支持腕５の変位は左右支持材３、４が二つ折れする範囲に沿って行われる。
【００１９】
図１２は、上記ランナー材１３に天井下地支持材１４を固定する構成例を示してある。ランナー材１０についても同様である。ランナー材１３の係止面１３ｄには天井下地支持材１４を係止する固定部材１５を接合し、ビスなどにより結合固定してある。固定部材１５はアングル形ピース部材であり、上記係止面と対応するギザギザ面からなる結合板部１５ａと天井下地支持材を係止する支持板部１５ｂとを形成してある。
【００２０】
このように構成することにより、図１２（Ａ）の如く天井下地空間の上下間隔を狭く設置して構成でき、また、（Ｂ）の如く、上下間隔を広く設置して構成することができる。つまり、同図（Ａ）の如く、固定部材１５を正Ｌ字形（支持板部１５ｂを結合板部１５ａの最下部とした形状）として設置し、この支持板部１５ｂに下地支持材１４を載置して固着することにより、下地空間の間隙を狭く設定でき、併せて結合板部１５ａとランナー材の係止面１３ｄとを接合可能な範囲で上下にずらせて固着することができ、上下間隔を調整することができる。
また、（Ｂ）の如く、固定部材１５を逆Ｌ字形（支持板部１５ｂを最下部とした形状）として設置し、この支持板部１５ｂに下地支持材１４を載置して固着することにより、下地空間の間隙を広く設定でき、前記同様に結合板部１５ａと係止面１３ｄとを接合可能な範囲で上下にずらせて固着することができ、上下間隔を調整することができる。下地支持材１４は適宜間隔ごとに躯体に吊架されている。
【００２１】
なお、上記においては天井エキスパンションジョイントを例に説明したが、壁エキスパンションジョイントなどとしても本発明は適用可能である。上記各部の構成形態は、エキスパンションジョイントとして適用可能な範囲で適宜に設計変更が可能であり、そのような変更は本発明に属するものである。
【図面の簡単な説明】
【００２２】
【図１】本発明に係るエキスパンションジョイント部の分解斜視図である。
【図２】天井エキスパンションジョイントとしての設置状態を示す天井裏面側の斜視図である。
【図３】図２のエキスパンションジョイント部の側面視図である。
【図４】図３のエキスパンションジョイント部の水平方向可動図である。
【図５】図３のエキスパンションジョイントの二つ折れ可動図である。
【図６】図５の二つ折れ最大可動図である．
【図７】図４の水平方向可動状態の天井表側斜視図である。
【図８】図５の二つ折れ可動状態の天井裏側斜視図である。
【図９】二つ折れの起動構造を示す回転軸周辺の部分拡大側面視図である。
【図１０】図９による起動状態を示し、（Ａ）は起動前状態の側面略図、（Ｂ）は起動過程の側面略図である。
【図１１】図９、１０とは異なる起動構造を示し、（Ａ）は支持材と連結部材を分離して示した一部破断の部分斜視図、（Ｂ）はその嵌合状態を示す側断面図である。
【図１２】天井下地の取付例を示す側面視図であり、（Ａ）と（Ｂ）は異なる取付状態を示してある。
【符号の説明】
【００２３】
１  天井部、            １Ａ  右天井部、            １Ｂ  左天井部、
２  天井枠材、          ３  右支持材、              ３ａ，３ｂ  枢着孔、
３ｃ  連結部材受け部、  ３ｄ  回転軸部材受け部、    ３ｅ  傾斜面、
４  左支持材、          ４ａ，４ｂ  枢着孔、          ４ｃ  係止上片、
５  回転支持腕、        ５ａ  枢着、                ５ｂ  ストッパー部、
５ｃ  関節部、          ５Ａ  支持腕、              ５Ｂ  支持腕、
６  連結部材、          ６ａ  回転軸部、            ６ｂ  水平リップ、
６ｃ  傾斜面、          ６ｄ  長孔、                ７  回転軸部材、
７ａ  回転軸部、        ７ｂ  長孔、                ８  軸受け部材、
９  天井、              １０  ランナー材、          １０ａ  目地部、
１１  軸受け部材、      １２  天井、                １３  ランナー材、
１３ａ  レール部、      １３ｂ  目地部、            １３ｃ  立上げ面部、
１３ｄ  係止面、        １４  天井下地支持材、      １５  固定部材、
１５ａ  結合板部、      １５ｂ  支持板部
【図１】
2005325612.tif 000003
【図２】
2005325612.tif 000004
【図３】
2005325612.tif 000005
【図４】
2005325612.tif 000006
【図５】
2005325612.tif 000007
【図６】
2005325612.tif 000008
【図７】
2005325612.tif 000009
【図８】
2005325612.tif 000010
【図９】
2005325612.tif 000011
【図１０】
2005325612.tif 000012
【図１１】
2005325612.tif 000013
【図１２】
2005325612.tif 000014